(57)【要約】【課題】  遊技球を遊技媒体として用いるスロットマシンにあって、開閉パネル背面側の構造を簡素化する。【解決手段】  貯留皿部８内部の貯留領域３６を上流領域５３と下流領域（整流通路）５４とに隔壁５６で前後に区画し、かつ上流領域５３の左右一側寄りに球供給口３５を配設すると共に、該球供給口３５側と離間した左右他側寄りに形成した連通開口５７で、両領域を連通するようにし、さらに下流領域（整流通路）５４に連通開口５７と反対端寄り位置に、球取込路４８と連通する取込口６６を形成し、球取込装置５０の取込部材（スプロケット）７１を、開閉パネルの裏面３４よりも前方位置で、球取込路４８に配設するようにした。かかる構成にあっては、従来では開閉パネル７背面側に配設されていた取込部材７１が、開閉パネル７の前面側に配設されているため、開閉パネル７の背面側の構造が簡素なものとなり、上記スロットマシンの設計の自由度を向上させることが可能となる。【選択図】  図４
2005329072.tif 000002
【特許請求の範囲】
【請求項１】
回転ドラムを備えた遊技機本体の前面に、開閉可能に取付けられる開閉パネルと、
該開閉パネルの前面側に配設され、遊技球を貯留する貯留領域を有する貯留皿部と、
貯留皿部に形成された取込口と連通する球取込路に設けられて、該貯留皿部に貯留される遊技球を、所定個数を一単位として取り込む取込部材を備える球取込装置と、
該球取込装置により取り込まれた遊技球を検出する遊技球検出手段と、
該遊技球検出手段が検出した遊技球を流下させる取込球排出路と
を備える遊技球を遊技媒体とするスロットマシンにおいて、
貯留領域を上流領域と下流領域とに前後で区画し、かつ上流領域の左右一側寄りに球供給口を配設すると共に、該球供給口側と離間した左右他側寄りに形成した連通開口で、両領域を連通するようにしてなる左右方向の折り返し区分手段を備え、さらに下流領域の連通開口と反対端寄り位置に、球取込路と連通する取込口を形成し、球取込装置の取込部材を、開閉パネルの裏面よりも前方位置で、球取込路に配設するようにしたことを特徴とするスロットマシン。
【請求項２】
折り返し区分手段が、貯留皿部の底面に、貯留領域を上流領域と下流領域とに前後で区画する左右方向の隔壁であり、その球供給口側と離間した端部で、両領域を連通する連通開口を形成したことを特徴とする請求項１記載のスロットマシン。
【請求項３】
上流領域と下流領域とを、下流方向へ傾斜させると共に、上流領域の傾斜角度よりも下流領域の傾斜角度を大きくするようにしたことを特徴とする請求項１又は請求項２に記載のスロットマシン。
【請求項４】
下流領域を、連通開口から取込口に至る細幅状として、該下流領域に遊技球が一列に整列する左右方向の整流通路としたことを特徴とする請求項１乃至請求項３のいずれかに記載のスロットマシン。
【発明の詳細な説明】
【技術分野】
【０００１】
本発明は、遊技球を遊技媒体とするスロットマシンに関する。
【背景技術】
【０００２】
遊技球を遊技媒体とするスロットマシンが提案されている。かかるスロットマシンでは、通常、遊技媒体として使用されるメダルの替わりに、遊技球を遊技機に投入することにより回転ドラムが回転可能となり、回転ドラムの停止により所定の当り態様となると、所定個数の遊技球が遊技者に払い出される。こうしたスロットマシンは、パチンコ機に用いる遊技球を使用して遊技できるため、パチンコ機と併存させて遊技場に備え付けることにより、遊技者は一種類の遊技媒体でパチンコ機とスロットマシンの両方を楽しむことが可能となり、遊技者の利便性を向上させることができる。また、このスロットマシンは、遊技場のパチンコ機用の遊技島に装着し、パチンコ機用の球供給排出機構を利用することができるため、遊技場にとっても設備を簡略化でき、また遊技媒体の管理費を抑制できるといった利点もある。
【０００３】
しかし、その一方で、遊技場では、一般的にメダル一枚の価値よりも遊技球一個の価値が低く扱われるため、メダルを遊技媒体とするスロットマシンがメダル一枚を賭数の最小単位としているのに対して、遊技球を使用するスロットマシンでは、複数の遊技球が賭数の最小単位を構成することとなり、メダル一枚を投入する替わりに、メダル一枚分に相当する個数の遊技球を投入しなくてはならない。このため、かかるスロットマシンにあっては、スロットマシンの前面に遊技球を貯留させ、ボタン操作等により、賭数一単位に相当する遊技球数を、スロットマシン内部に自動的に取り込む機構を備えたスロットマシンが提案されている（例えば特許文献１、特許文献２）。
【０００４】
かかるスロットマシンは、回転ドラムを備えた遊技機本体の前面に、開閉可能に取付けられる開閉パネルと、該開閉パネルの前面側に配設され、遊技球を貯留する貯留領域を有する貯留皿部と、貯留皿部に形成された取込口と連通する球取込路に設けられて、所定個数を一単位として取り込む球取込装置と、該球取込装置により取り込まれた遊技球を検出する遊技球検出手段と、該遊技球検出手段が検出した遊技球を流下させる取込球排出路とを備えたものであり、遊技者が投入スイッチを操作することにより、球取込装置が作動し、貯留皿部側の取込口から流下する遊技球が所定数を一単位として、取込球排出路側へ取り込まれるようにしている。この球取込装置は、遊技球を収容する凹部を複数周設したスプロケット状の取込部材と、該取込部材を、その凹部が取込口と連通する位置から、取込球排出路と連通する位置へと回動するステッピングモータ等の電気的駆動装置とから構成される。この取込部材や、駆動装置は、開閉パネルの裏面（背面）に取り付けられる。また、遊技球検出手段は、通常、球取込装置から遊技球が流下する位置に配設されるスイッチやセンサ等で構成されるものであり、球取込装置により取り込まれた遊技球は、この遊技球検出手段により検出されて遊技機本体側の制御装置により計数される。また、遊技球検出手段により検出された遊技球は、遊技球検出手段の下流に形成される取込球排出路を通り、遊技機本体の背面側に排出されることとなる。
【０００５】
【特許文献１】特公平７−４７０５６号公報
【特許文献２】特開２００１−２９９９９５号公報
【発明の開示】
【発明が解決しようとする課題】
【０００６】
ところで、上記スロットマシンは、メダルを遊技媒体とするスロットマシンと同様に、その内部に回転ドラムや該回転ドラムを駆動する駆動装置が設けられる。しかし、一方で、かかるスロットマシンは、パチンコ機用の遊技島に備え付けられるものであるから、その外形は、メダルを遊技媒体とする従来のスロットマシンの形状ではなく、該遊技島に適するパチンコ機と同様の形状とする必要がある。このため、かかるスロットマシンでは、メダルを遊技媒体とする従来のスロットマシンとは異なる配置設計が求められており、その内部構造の簡素化が望まれている。ところが、こうした現状にあって、開閉パネルの裏面に装着される球取込装置は、スロットマシンの内部スペースを大きく占めており、設計の自由度を大きく制限しているという問題がある。
【０００７】
本発明は、かかる問題の解決を試みたものであり、遊技球を遊技媒体として用いるスロットマシンにあって、開閉パネルの背面構造を簡素化し得ると共に、円滑な遊技球の供給が可能となるスロットマシンの提供を目的とするものである。
【課題を解決するための手段】
【０００８】
本発明は、回転ドラムを備えた遊技機本体の前面に、開閉可能に取付けられる開閉パネルと、該開閉パネルの前面側に配設され、遊技球を貯留する貯留領域を有する貯留皿部と、貯留皿部に形成された取込口と連通する球取込路に設けられて、該貯留皿部に貯留される遊技球を、所定個数を一単位として取り込む取込部材を備える球取込装置と、該球取込装置により取り込まれた遊技球を検出する遊技球検出手段と、該遊技球検出手段が検出した遊技球を流下させる取込球排出路とを備える遊技球を遊技媒体とするスロットマシンにおいて、貯留領域を上流領域と下流領域とに前後で区画し、かつ上流領域の左右一側寄りに球供給口を配設すると共に、該球供給口側と離間した左右他側寄りに形成した連通開口で、両領域を連通するようにしてなる左右方向の折り返し区分手段を備え、さらに下流領域の連通開口と反対端寄り位置に、球取込路と連通する取込口を形成し、球取込装置の取込部材を、開閉パネルの裏面よりも前方位置で、球取込路に配設するようにしたことを特徴とするスロットマシンである（請求項１）。
【０００９】
ここで、この球取込装置は、貯留皿部に形成された取込口と取込球排出路との間に形成された球取込路内に配設され、取込口から流下する遊技球を収容する凹部を有するとともに、該凹部を取込口と連通する位置と、該凹部を取込球排出路と連通する位置とに変動する取込部材と、所定個数の遊技球を取込球排出路側へ排出するように取込部材を作動させる電気的駆動装置とにより構成され、遊技者による投入スイッチの操作に基づいて電気的駆動装置により取込部材を駆動して、該貯留皿部に貯留される遊技球を、所定個数を一単位として取り込むものが提案される。この取込部材としては、投入スイッチの操作によらず、貯留皿部に遊技球が所定単位個数あることが検出されれば、自動的に駆動して、遊技球を取り込むようにした構成としてもよい。また、球取込装置により取り込まれた遊技球を検出する遊技球検出手段は、取込球排出路の入り口に配設された球検知スイッチにより構成され得る。
【００１０】
また、球取込装置としては、既に提案されている構成を好適に用いることが可能であり、例えば取込部材にはスプロケット等を、電気的駆動装置としては、モータやソレノイド等を使用することができる。かかる構成にあっては、従来では開閉パネルの裏面に配設されていた取込部材が、該裏面の前方位置に配設されているため、開閉パネルの背面側の構造が簡素なものとなり、上記スロットマシンの設計の自由度を向上させることが可能となる。特に、本構成では、取込部材だけでなく、電気的駆動装置も開閉パネルの前部に設け、球取込装置の全てを開閉パネルの前方位置に配設すれば、開閉パネルの貯留皿部背面側がフラットとなり、内部の設計自由度を更に向上させることができる。
【００１１】
さらに、取込部材を開閉パネルの裏面よりも前方位置に配置するものであるから、その取込口も、貯留皿部の前方位置に配置することが可能となる。そこで、貯留皿部の底面に、貯留領域を上流領域と下流領域とに前後で区画し、かつ上流領域の一側寄りに球供給口を配設すると共に、該球供給口側と離間した端部で、両領域を連通するようにしてなる左右方向の折り返し区分手段を備えるようにしている。これにより折り返し区分手段によって、球供給口から、取込口に至る遊技球の経路が折り返し状となり、経路長が長くなる。このため、貯留領域の傾斜勾配が小さくなり、遊技球の流下速度が低くなって、遊技球の貯留皿部からの飛び出しが少なくなり、円滑な遊技球の供給が可能となる。
【００１２】
ここで折り返し区分手段としては、貯留皿部の底面に、貯留領域を上流領域と下流領域とに前後で区画する左右方向の隔壁であり、その球供給口側と離間した端部で、両領域を連通する連通開口を形成（請求項２）することができる。これにより略Ｕ字状の流下経路が実現されることとなり、隔壁により上流領域と下流領域の遊技球相互の干渉がなく、上流領域にある遊技球群から、下流領域にある遊技球群へ加わる球圧が抑制され、遊技球の流れをさらに円滑とすることができる。
【００１３】
上流領域と下流領域とを、下流方向へ傾斜させると共に、上流領域の傾斜角度よりも下流領域の傾斜角度を大きくする（請求項３）こともできる。この場合には、上流領域では遊技球は緩徐に流下し、折り返し部となる連通開口から、取込口に至る下流領域で遊技球の流下が速くなる。これにより、上流領域にて、球供給口から流下した遊技球が確認しやすくなる。
【００１４】
下流領域を、連通開口から取込口に至る細幅状として、該下流領域に遊技球が一列に整列する左右方向の整流通路とすることもできる（請求項４）。かかる構成にあっては、下流領域が整流通路となり、遊技球の取込速度に追従して、所定単位個数ずつ、取込口へ確実に送り出すことができる。ここで、下流領域を比較的広くとって、該下流領域内に細長状の凹溝などを形成して、この凹溝内を整流通路とすることもできる。
【発明の効果】
【００１５】
以上に述べたように、本発明は、貯留領域を上流領域と下流領域とに前後で区画し、かつ上流領域の一側寄りに球供給口を配設すると共に、該球供給口側と離間した端部で、両領域を連通するようにしてなる左右方向の折り返し区分手段を備え、さらに下流領域の連通開口と反対端寄り位置に、球取込路と連通する取込口を形成し、取込装置の取込部材を、開閉パネルの裏面よりも前方位置で、球取込路に配設するようにした（請求項１）から、
1)  従来では開閉パネル背面側に配設されていた取込部材を、開閉パネルのパネル取付面よりも前方位置に配設しているため、開閉パネルの背面側の構造が簡素なものとなり、上記スロットマシンの設計の自由度を向上させることが可能となる。
2)  貯留皿部の内部で、折り返し区分手段により、貯留領域を上流領域と下流領域とに前後で区画し、球取込路と連通する取込口を連通開口と反対端寄り位置配置するものであるため、折り返し区分手段によって、球供給口から、取込口に至る遊技球の経路が折り返し状となり、経路長が長くなる。このため、貯留皿部底面の傾斜勾配を小さくすることができ、遊技球の流下速度が低くなって、遊技球の貯留皿部からの飛び出しが少なくなり、円滑な遊技球の供給が可能となる。
3)  球供給口から、取込口に至る遊技球の経路が折り返し状となる結果、該球供給口と取込口とが、左右方向で同じ側に配設されることとなる。このため、該球供給口と連通する通路と、取込口と連通する通路とが同じ側となり、通路群の集約化を図ることができ、遊技本体背面構造が纏まりやすくなり、その他の背面領域の自由度が増し、配置設計が容易となる。
4)  折り返し区分手段として、貯留皿部の底面に、貯留領域を上流領域と下流領域とに前後で区画する左右方向の隔壁で構成し、その球供給口側と離間した端部で、両領域を連通する連通開口を形成（請求項２）した場合には、略Ｕ字状の流下経路が実現されることとなり、隔壁により上流領域と下流領域の遊技球相互の干渉がなく、上流領域にある遊技球群から、下流領域にある遊技球群へ加わる球圧が抑制され、遊技球の流れをさらに円滑とすることができる。
5)  上流領域と下流領域とを、下流方向へ傾斜させると共に、上流領域の傾斜角度よりも下流領域の傾斜角度を大きくするようにした場合（請求項３）には、上流領域では遊技球は緩徐に流下し、折り返し部となる連通開口から、取込口に至る下流領域で遊技球の流下が速くなる。これにより、上流領域にて、球供給口から流下した遊技球が確認しやすくなる。
6)  下流領域を、連通開口から取込口に至る細幅状として、該下流領域に遊技球が一列に整列する左右方向の整流通路とした場合（請求項４）には、下流領域が整流通路となり、所定単位個数ずつ、取込口へ確実に送り出すことができる。
【発明を実施するための最良の形態】
【００１６】
本発明の実施形態を、以下の実施例に従って説明する。
本実施例のスロットマシン１は、遊技球を遊技媒体として用いるものであり、通常パチンコ機用の遊技島に対してパチンコ機同様に取り付けられる。すなわち、このスロットマシン１は、図１，２に示すように、遊技島に固定されるパチンコ機と同形状の外枠２と、回転ドラム１２ａ〜１２ｃを備え、ヒンジ部材９を介して外枠２に開閉可能に枢着する遊技機本体３とからなる。また、本実施例のスロットマシン１の左側には、スロットマシン１と接続されて、貸球数を記憶したプリペイドカードの読込みや書込みを行うカードユニット１１が付属装置として装着される。
【００１７】
遊技機本体３は、図１，２に示すように、ヒンジ部材９を介して外枠２に直接枢着する前枠４と、該前枠４の前面側上半分に開閉可能に取り付けられる前扉６と、前面に貯留皿部８等が設けられ、前扉６の下方に開閉可能に取り付けられる開閉パネル７と、前枠４の背面側に開閉可能に取り付けられる裏機構板５等により構成される。
【００１８】
前枠４は、図１に示すように、その中央に、外周面に多種類の図柄Ｐが配された３つの回転ドラム１２ａ〜１２ｃが設けられる。これらの回転ドラム１２ａ〜１２ｃは、これらを個別に駆動するステッピングモータおよび該モータを支持する支持部材に組み付けられて一体的に構成されるものであり、従来構成のスロットマシンに用いられるものを好適に用いることができる。また、回転ドラム１２ａ〜１２ｃの直下位置には、レギュラーボーナス中の入賞回数等を表示するゲーム回数表示器１４や、一回の入賞により獲得した賞球数が表示される払出数表示器１５、払出動作が完了していない遊技球数を表示する未払出数表示器１６が横並びに配設される。また、前枠４の前面側下部には、開閉パネル７の下方に位置させて球放出口１８が形成され、該球放出口１８に臨むように補助皿部１９が配設される。この補助皿部１９には、その底面に形成される開口を開閉する球抜スライダ２０が設けられており、遊技者がこの球抜スライダ２０を移動操作することにより開口が開放し、補助皿部１９内の遊技球ｘが下方に排出されるようになっている。また、前枠４の下部背面側には、遊技の効果音を発するスピーカや、各種電気部品に電力を供給する電源ユニット等が設けられる（図示省略）。
【００１９】
前扉６は、図１に示すように、前面に装飾が配された矩形状をなし、その左縁に設けられたヒンジ部材（図示省略）を介して開閉可能に取り付けられる。この前扉６の中央位置には、前枠４に設けられる各回転ドラム１２ａ〜１２ｃを前方から視認可能とする表示窓２３が形成され、この表示窓２３に回転ドラム１２ａ〜１２ｃ正面の図柄Ｐが表出されるようになっている。また、表示窓２３の下方には、各種表示器１４〜１６を夫々視認可能とする表示部２９が形成され、表示窓２３の左側には、有効な入賞ラインを遊技者に報知する入賞ラインランプ２４が設けられる。さらに、前扉６の下部には、カードユニット１１に投入したプリペイドカードを遊技客に返却するよう指示するカード返却ボタン２５と、所定個数単位の遊技球ｘを貸球として払い出すよう指示する球貸ボタン２６と、カードユニット１１に投入したプリペイドカードの残高を表示する度数表示器２７とを備えるカード操作部２８が設けられている。
【００２０】
矩形状の金属板よりなる開閉パネル７は、図１，２に示すように、前枠４の下部にヒンジ部材５５を介して開閉可能に取り付けられており、その前面側には遊技球ｘを貯留する貯留皿部８と、該貯留皿部８を前方から支持して開閉パネル７に固定する樹脂製のカバー部材３７が装着される。貯留皿部８は、その内部を、遊技球ｘを貯留する貯留領域３６とし、該貯留領域３６に、隔壁５６で区画されて、遊技球ｘが流入して整列する整流通路５４が形成されており、開閉パネル７の左側に形成される球供給口３５から貯留領域３６へ遊技球ｘが流入し、貯留されるようになっている。そして、貯留領域３６から整流通路５４へ流入した遊技球ｘは、該整流通路５４の先頭（左端）に形成される取込口６６から順次流下して、後述する球取込装置５０により所定数（５個）を一単位として取り込まれることとなる。なお、本発明の要部に係るため、貯留皿部８等の詳細な構成は別途後述する。
【００２１】
カバー部材３７は、貯留皿部８を開閉パネル７に固定すると共に、貯留皿部８の底面全体を覆い、貯留皿部８の下部位置に配設される球取込装置５０や取込球排出路４９等の構造を前下方から隠蔽する。また、図１に示すように、カバー部材３７の前面下部には、前方に膨出する操作部３９が形成される。この操作部３９には、正面視左側よりスタートランプ４０、スタートレバー４１、三つのＢＥＴボタン４２ａ〜４２ｃ、ストップボタン４４〜４６、球抜ボタン６５が横並びに設けられており、これらのボタンやレバーの操作により遊技が実行される。スタートランプ４０は、回転ドラム１２ａ〜１２ｃが回転開始可能であることを遊技者に報知するためのものであり、このスタートランプ４０の点灯時にスタートレバー４１を押し下げると、各回転ドラム１２ａ〜１２ｃが回転開始する。ＢＥＴボタン４２ａ〜４２ｃは、賭数単位で遊技球を投入するための投入スイッチを構成するものであり、後述するように、これらのボタン操作により貯留皿部８内の遊技球が自動的に遊技機内へ取り込まれる。また、ストップボタン４４〜４６は回転ドラム１２ａ〜１２ｃの停止操作に用いるものであり、回転ドラム１２ａ〜１２ｃの回転中にこれらのボタンを押圧操作すると、この操作タイミングに基づいて制御装置が各ボタンに対応する回転ドラム１２ａ〜１２ｃを停止させる。また、球抜ボタン６５は、貯留皿部８に貯留した遊技球を補助皿部１９に排出するためのものであり、遊技者が該球抜ボタン６５を押圧操作すると、貯留皿部８に貯留した遊技球が下方の球放出口１８へと流下し、補助皿部１９へと放出されるようになっている。また、上記の各ボタン４２ａ〜４２ｃ，４４〜４６は、スイッチとランプを備え、ボタン操作は各スイッチのＯＮ作動により後述の主制御基板１００へ伝えられると共に、夫々のランプの点灯によりボタン操作が有効であることを遊技者に報知するようになっている。
【００２２】
裏機構板５は、上述のように前枠４の背面に開閉可能に装着されるものであり、その背面には、電子回路を組み込まれた基板１００〜１０６が複数備え付けられる（図３参照）。これらの基板は相互に電気的に接続されると共に、遊技機本体３に設けられた各種センサ、スイッチ、モータ、ランプ等と接続されており、遊技を統括する制御装置を構成する。また、図２に示すように、裏機構板５の上部には、遊技島設備の球供給装置から遊技球ｘの供給を受ける球タンク３０が設けられる。この球タンク３０は、裏機構板５内部に形成される球案内通路（図示省略）を通して、遊技機本体３前面下部に形成された前記球放出口１８や、貯留皿部８に臨む位置に形成される球供給口３５と連通しており、該球案内通路の中途位置に設けられた払出ユニット３１が作動すると、球タンク３０側に位置する所定数の遊技球ｘが、貯留皿部８や補助皿部１９へ向けて送出されるようになっている。この払出ユニット３１から送出された遊技球ｘは、通常は、前記球供給口３５から貯留皿部８へと放出されるが、貯留皿部８が満杯である場合は、球放出口１８から補助皿部１９へと放出される。かかる貯留皿部８への遊技球供給機構は、既存のパチンコ機の構成を好適に用いることが可能である。
【００２３】
次に、本実施例のスロットマシン１の遊技作動を制御する制御回路を、図３を参照して説明する。マイクロコンピュータを構成する主制御基板１００には、スロットマシン１の遊技制御を行うと共に、投入スイッチの操作に基づいて遊技球ｘの取込動作制御等を行うための基板回路が設けられている。この主制御基板１００の基板回路には、周辺機器とデータ通信を行う入力ポート及び出力ポート（図示省略）が設けられており、この出力ポートを介して主制御基板１００からの制御信号が、払出制御基板１０１、表示制御基板１０２、ランプ制御基板１０３、情報端子基板１０５の各入力ポートに向けて出力されるように接続されている。また、主制御基板１００の入力ポートには、上述したスタートレバー４１や各ＢＥＴボタン４２ａ〜４２ｃ、ストップボタン４４〜４６、球抜ボタン６５のスイッチが接続されており、主制御基板１００は２ｍｓごとにこれらの操作状態を調べ、その操作に応じて遊技状態を制御する。また、主制御基板１００には、後述する整流通路５４に設けられる貯留球検知スイッチ９５ａ〜９５ｃや、球取込装置５０の取込モータ７２、球取込装置５０により取り込まれた遊技球を検知する取込球検知スイッチ７７も接続される。
【００２４】
上記払出制御基板１０１には、遊技球ｘの払出作動の制御を行うための基板回路が設けられる。この基板回路は、上記払出ユニット３１と接続されており、主制御基板１００から入力されたコマンドに従い払出ユニット３１を作動させて、貸球や賞球の払い出しを実行する。また、払出制御基板１０１は、貸球数を記憶したプリペイドカードの読込みや書込みを行う付属装置であるカードユニット１１と、このプリペイドカードのデータ処理を中継するＣＲ接続基板１０４を介して接続され、遊技球ｘの残球データ等をやり取りする。さらに、払出制御基板１０１には、前記球タンク３０内の球切れを検出するための球切れスイッチや、球放出口１８の奥に設けられて、補助皿部１９が遊技球ｘで満杯になったことを検知するための満タンスイッチとも接続されている。
【００２５】
上記表示制御基板１０２は、回転ドラム１２ａ〜１２ｃの停止制御を行うための基板回路が設けられる。この基板回路には、各回転ドラム１２ａ〜１２ｃを回転駆動するドラムモータと、回転ドラム１２ａ〜１２ｃの回転角度を検出する基準位置センサと接続され、主制御基板１００から入力されたコマンドに従ってドラムモータを作動させ、各回転ドラム１２ａ〜１２ｃを回転させると共に、所定回転角度で停止させる。また、表示制御基板１０２は、回転ドラム１２ａ〜１２ｃの下方に設けられた各種表示器１４〜１６と接続されると共に、効果音や音声の出力制御を行う音声制御基板１０６を介してスピーカとも接続されている。
【００２６】
上記ランプ制御基板１０３には、入賞ラインランプ２４や、操作部３９のスタートランプ４０や各種ボタン４２ａ〜４２ｃ，４４〜４６に内蔵されたランプと接続されており、主制御基板１００から入力されたコマンドに従い各種ランプを点灯制御して、入賞ラインやボタン操作が有効となったことを遊技者に報知する。
【００２７】
また、上記情報端子基板１０５は、遊技島設備の集中管理装置１０７と接続するためのものであり、主制御基板１００や払出制御基板１０１から送られた賞球数や大当り回数等の情報を、この基板を介して集中管理装置１０７へ送信することができる。
【００２８】
以下に、本発明の要部に係る構成について説明する。
図２に示すように、開閉パネル７は、表示窓２３の下方位置に開閉可能に取付けられており、この開閉パネル７の前面側に貯留皿部８が取り付けられる。図４〜６に示すように、この開閉パネル７の左上部位置には、遊技球ｘを貯留皿部８へと排出する球供給口３５が形成されると共に、この球供給口３５の裏面側にあたる開閉パネルの裏面３４には樋部材５１が設けられており、パネル閉止時に前記払出ユニット３１から流下する遊技球ｘが樋部材５１を介して、球供給口３５へと放出される。また、図６に示すように、開閉パネル７の左位置には、パネルを貫通する樋部材８４が配設され、貯留皿部８の遊技球ｘを遊技者に返却するための球抜通路５２が形成される。さらに、樋部材８４の左下位置にも、樋部材６８が設けられており、取り込まれた遊技球ｘを流下させる取込球排出路４９が形成される。
【００２９】
貯留皿部８は、図４に示すように、成形樹脂材により構成されるものであり、カバー部材３７上に配設されて、その内部を、遊技球ｘを貯留する貯留領域３６とし、該貯留領域３６の左端部を球供給口３５と連通させている。また、貯留領域３６の底面には、貯留領域３６を上流領域５３と下流領域（整流通路）５４とに前後で区画し、かつ上流領域５３の左側寄りに配設されている前記球供給口３５と離間した右側寄りの連通開口５７で、両領域を連通するようにしてなる左右方向の隔壁５６を備える。上流領域５３は、整流通路５４の連通開口５７へ向かって緩やかに下方傾斜しており、上流領域５３に貯留する全ての遊技球ｘを整流通路５４へと順次流下させるようにしている。
【００３０】
整流通路５４は、図４，８〜１２に示すように、上流領域５３に対して細幅状段溝により構成され、左に向かって下方傾斜しており、前記隔壁５６と、貯留皿部８の前壁部で区画形成される。またその勾配は、後述するように、上流領域５３の遊技球ｘを緩徐な移動とするために、該上流領域５３の勾配よりも急峻とする。また、図９，１１に示すように、整流通路５４の底面には、貯留皿部８を構成する樹脂材の上に、金属製の整列底板５９が装着されており、整流通路５４の遊技球ｘは、この整列底板５９上を流下する。また、樹脂材と整列底板５９からなる整流通路５４の底部には、遊技球が係止されない程度の溝孔６０が、通路方向に沿って複数形成されており、該溝孔６０を通して整列底板５９上に落下した塵埃を下方に排出することにより、通路内に塵埃が堆積するのを防止している。ここで段溝（整流通路）５４は、遊技球一個が通れる幅寸法をなし、その右端を先頭として、１５個の、すなわち賭数三単位分の遊技球ｘが一列に整列し得る長さとされる。そして、整流通路５４の左端底部には、一個の遊技球ｘが通過可能な取込口６６が形成され、この取込口６６の直下位置に球取込路４８が形成される。また、整流通路５４に整列する遊技球ｘの、先頭から５個目、１０個目および１５個目を臨む位置に、それぞれ貯留球検知スイッチ９５ａ〜９５ｃが配設される。これらのスイッチ９５ａ〜９５ｃは、夫々の臨む位置に遊技球ｘが存在するとＯＮ作動するものであり。かかるスイッチ９５ａ〜９５ｃの作動状況により、主制御基板１００が整流通路５４に５個（賭数一単位）以上、１０個以上若しくは１５個（賭数三単位）以上の遊技球ｘが整列しているか否かを判定する。さらに、図８で示すように、この整流通路５４の傾斜勾配は、上流領域５３の傾斜勾配よりも急峻としている。すなわち、上流領域５３の傾斜勾配を相対的に緩やかにし、これにより該上流領域５３での球の流動をゆったりとすると共に、該整流通路５４では、遊技球の取込速度に対して送給速度を確実に追従し得るようにしている。
【００３１】
整流通路５４の取込口６６の直下位置に形成される球取込路４８は、図１０〜１２に示すように、取込口６６から流入した遊技球ｘを左下方に流下させるものであり、この球取込路４８には、整流通路５４側の遊技球ｘを賭数単位で取り込む球取込装置５０が設けられる。また、球取込路４８の左下端には、球取込装置５０により取り込まれた遊技球ｘを検出する遊技球検出手段を構成する取込球検知スイッチ７７が配設され、さらに、該取込球検知スイッチ７７の左方には、検出された遊技球ｘを流下させる取込球排出路４９が設けられる。
【００３２】
球取込装置５０は、図１０に示すように、電気的駆動装置を構成する取込モータ７２と、取込部材を構成するスプロケット７１と、取込モータ７２とスプロケット７１の回転軸を連繋して駆動力をスプロケット７１に伝達する歯車部材７４ａ，７４ｂとにより構成される。取込モータ７２は、ステッピングモータによりなり、裏機構板５に設けられた主制御基板１００に接続されて、該主制御基板１００からの制御信号に応じた回転角度で、スプロケット７１を回転駆動させる。一方、スプロケット７１は、整流通路５４の幅寸法と略等しい厚み寸法を有すると共に、その周部に、遊技球一個を収容可能な三つの凹部７０が等間隔に形成された正面略Ｙ字型をなすものであり、各凹部７０の間を、遊技球を係止する係止部７３とする。ここで、球取込路４８内に設けられたスプロケット７１は、回転軸を前後に向けて取込モータ７２と連繋すると共に、整流通路５４の取込口６６の直下に位置しており、スプロケット７１のいずれかの凹部７０を上方の取込口６６に向けた状態では、整流通路５４から一つの遊技球ｘを凹部７０内に取込可能となる。一方、スプロケット７１がいずれかの係止部７３を取込口６６に向けた状態では、図９に示すように、該係止部７３により取込口６６が閉塞され、遊技球ｘが整流通路５４先頭位置で係止されると共に、凹部７０の一つが取込球排出路４９と連通する。また、図９に示すように、各係止部７３の周面は開閉パネル７側に向けて縮径しており、後述するように、整流通路５４の先頭で係止する遊技球ｘを、球抜通路５２の通路口８０方向へ案内するようになっている。このように、本実施例のスロットマシン１にあっては、従来では開閉パネル７の裏面３４に装着される球取込装置５０が、開閉パネル７の裏面３４よりも前方位置で、球取込路４８に配設されているため、開閉パネル７の背面構造が簡素化している。なお、本実施例にあっては、貯留皿部８およびカバー部材３７の、スプロケット７１の前方部分を透明部材４３により構成し、遊技者がスプロケット７１の動きを視認可能となるようにしている。
【００３３】
遊技球検出手段を構成する取込球検知スイッチ７７は、図１０〜１２に示すように、取込球排出路４９を形成する樋部材６８の先端に固定され、スプロケット７１の左側面を臨む位置に配設される。この取込球検知スイッチ７７は、上述したように主制御基板１００に接続されており、球取込装置５０により取り込まれた遊技球ｘが取込球排出路４９に流入する度に、この取込球検知スイッチ７７がＯＮ作動し、これにより、主制御基板１００が遊技球ｘを取り込んだと判断する。ここで、本実施例の取込球検知スイッチ７７は、球取込装置５０の直後位置に設けられているため、球取込装置５０から排出された遊技球ｘは即時に取込球検知スイッチ７７により検出される。従って、本スロットマシン１では、球取込装置５０による遊技球ｘの取込みが制御レベルで遅滞なく確認され、遊技をテンポよく行うことが可能となっている。また、本実施例にあっては、上記球取込装置５０と同様に、従来構成では開閉パネル７の背面側に設けられる遊技球検出手段が、開閉パネル７前部に設けられるため、開閉パネル７の背面構造がさらに簡素化されている。
【００３４】
また、取込球排出路４９を形成する樋部材６８は、後方へ直角状に屈曲し、開閉パネル７を貫通しており、該通路に流入して、取込球検知スイッチ７７により検出された遊技球ｘを、開閉パネル７の背面側へと流下させる。さらに、整流通路３８の下流端部位置の後側面には、球抜通路５２の通路口８０が開口する。この通路口８０の背面には、図９〜１１に示すように、通路口８０を開放状態とする上方の開放位置と、通路口８０を遮断する下方の閉塞位置とに位置変換する板状の開閉部材８１が設けられる。この開閉部材８１は、操作部３９に設けられる球抜ボタン６５と電気的又は機械的に連繋しており、球抜ボタン６５を押圧すると開閉部材８１が開放位置へ上昇し、通路口８０が開放されるようになっている。
【００３５】
遊技球の取込み作動を説明する前に、本実施例のスロットマシン１の遊技作動を簡単に説明する。
本実施例のスロットマシン１では、５個の遊技球が賭数一単位を構成するものであり、ゲーム毎に貯留皿部８に貯留されている遊技球を、賭数単位で投入して遊技を行う。本実施例の遊技形態では、一回のゲームに三単位までの賭数を設定可能となっており、この賭数の設定は三つのＢＥＴボタン４２ａ〜４２ｃの操作により行われる。すなわち、ＭＡＸＢＥＴボタン４２ａを操作すると、合計１５個の遊技球が球取込装置５０により遊技機内部に取り込まれ、２ＢＥＴボタン４２ｂを操作すると１０個の遊技球が、１ＢＥＴボタン４２ｃを操作すると５個の遊技球が球取込装置５０に取り込まれることとなる。なお、回転ドラム１２ａ〜１２ｃの回転中や、既に１５個の遊技球が取り込まれている場合、又は整流通路５４内の遊技球数が不足している場合などには、各ＢＥＴボタン４２ａ〜４２ｃを操作しても無効となり、球取込装置５０は作動しない。
【００３６】
ＢＥＴボタン４２ａ〜４２ｃの操作により、少なくとも賭数一単位分の遊技球が投入されるとスタートランプ４０が点灯する。このスタートランプ４０の点灯時にスタートレバー４１を押し下げ操作すると、回転ドラム１２ａ〜１２ｃが回転開始する。そして、この回転中に、各ストップボタン４４〜４６を押圧操作すると、その操作タイミングに基づいて、主制御基板１００が図柄Ｐの停止態様を決定し、当該停止態様となるように各ドラムモータを停止させる。そして、回転ドラム１２ａ〜１２ｃが停止した際に、入賞ライン上の図柄Ｐが所定の組合せで揃った場合には「当り」となり、払出ユニット３１から所定数の遊技球が払い出されたり、遊技者に有利なボーナスゲーム等が実行されることとなる。なお、主制御基板１００により実行される回転ドラム１２ａ〜１２ｃの停止制御機構や、上記ボーナスゲーム等の遊技内容は、公知のスロットマシンと同様にすることが可能である。
【００３７】
次に、球取込装置５０による遊技球の取込み作動について説明する。
ＢＥＴボタン４２ａ〜４２ｃが有効な時に、該ボタン４２ａ〜４２ｃを操作すると、主制御基板１００から取込モータ７２へパルス信号が送られる。取込モータ７２はステップ角が７．５°となっており、受信したパルス信号の数に応じて、正面視反時計回りにスプロケット７１を回転させる。球取込装置５０は、図１３（イ）のように、スプロケット７１の係止部７３のいずれかを取込口６６に対向する位置を定常状態とするものであり、取込モータ７２は、常に定常状態で停止するように制御される。このため、取込モータ７２の停止時には、整流通路５４内の遊技球ｘは、その先頭位置で係止部７３により係止されて、球取込路４８へ流下不可能となっている。そして、取込モータ７２の停止状態で、主制御基板１００からパルス信号が送られて、取込モータ７２が定常状態からスプロケット７１を正面視反時計回りに６０°回転させると、図１３（イ）〜（ハ）に示すように、その凹部７０が取込口６６と対向し、凹部７０内に整流通路５４内の遊技球ｘが一つ収容される。そして、スプロケットをさらに６０°回転させると、図１３（ハ）〜（ホ）に示すように、別の係止部７３が整流通路５４の出口と対向し再び定常状態となると共に、遊技球ｘを収容した凹部７０は、右側方の取込球排出路４９の入口と対向し、凹部７０に収容した遊技球ｘは、取込球検知スイッチ７７により検出され、取り込まれた遊技球ｘとして主制御基板１００に計数された後、取込球排出路４９に沿って開閉パネル７の背面側へと案内されて、遊技島の球回収装置へと排出されることとなる。
【００３８】
このように、本実施例にかかる球取込装置５０は、スプロケット７１を定常状態から正面視反時計回りに１２０°回転させることにより、整流通路５４の先頭に位置する遊技球ｘ一個を凹部７０に収容し、続く遊技球ｘの流下を係止部７３で阻止しつつ、該遊技球ｘを取込球排出路４９へ排出する。従って、本実施例のスロットマシン１では、遊技者が１ＢＥＴボタンを操作して、賭数一単位（遊技球５個）の投入を要求した場合には、主制御基板１００は、スプロケットを正面視反時計回りに６００°（１２０°×５個）回転させるように取込モータ７２にパルス信号を送信し、取込口６６から５個（一単位）の遊技球を取り込ませる。同様に、主制御基板１００は、２ＢＥＴボタン４２ｂが操作された際には正面視反時計回りに１２００°（１２０°×１０個）、ＭＡＸＢＥＴボタン４２ａが操作された際には１８００°（１２０°×１５個）回転させるように、取込モータ７２に制御信号を送信し、整流通路５４から１０個（二単位）、１５個（三単位）の遊技球を取り込ませる。なお、本実施形態では、取込モータ７２の作動中（取込動作中）以外に取込球検知スイッチ７７が遊技球ｘを検出しても、主制御基板１００は、当該遊技球ｘを取り込んだ遊技球として計数せず、無効としている。
【００３９】
次に、１ＢＥＴボタン４２ｃの操作に伴い実行される遊技球の取込み制御態様例を、図１４のタイミングチャートを参照して具体的に説明する。まず、遊技者が１ＢＥＴボタンを押圧操作すると、ボタン内部の１ＢＥＴボタンスイッチ（１ＢＥＴボタンＳＷ）がＯＮ作動する。主制御基板１００は、この１ＢＥＴボタンスイッチのＯＮ作動を検知すると、賭数一単位の取込みが要求されたと判定し、当該ボタン操作が有効であるか否かの判定を行う。ここで、ボタン操作時には、回転ドラム１２ａ〜１２ｃが回転しておらず、かつ整流通路５４に５個以上の遊技球が整列し、賭数が０であるため、主制御基板１００は、当該ボタン操作を有効とし、賭数を一単位とした後、スプロケット７１を上記方向へ６００°回転させるように取込モータ７２へパルス信号を送信し、スプロケット７１を回転させる。そして、スプロケット７１の回転に伴い、整流通路５４の取込口６６から取込球排出路４９へ遊技球が一つずつ排出される度に、取込球検知スイッチ７７（球検出ＳＷ）が即時にＯＮ作動し、主制御基板１００は該基板に設けられる球取込数カウンタを１加算する。そして、スプロケット７１が６００°回転し、球取込数カウンタが５個の遊技球を計数すると、主制御基板１００は賭数一単位を取り込んだと判断し、スタートランプ４０を点灯させてスタートレバー４１の操作を有効とする。その後、スタートレバー４１の押し下げ操作を行い、内蔵されるスタートレバースイッチ（スタートレバーＳＷ）がＯＮ作動すると、回転ドラム１２ａ〜１２ｃが回転開始しゲームが開始されると共に、主制御基板１００の賭数や取込球数カウンタはリセットされる。なお、本実施例のスロットマシン１では、スタートレバー４１を操作する前に、１ＢＥＴボタン４２ｃを再び操作すれば、さらに５個の遊技球を球取込装置５０に取り込むことが可能となっている。
【００４０】
このように、本実施例のスロットマシン１では、球取込装置５０を構成するスプロケット７１と取込モータ７２とを開閉パネル７の裏面３４よりも前方位置に設け、開閉パネル７の背面構造を簡素化させながらも、前方に設けた球取込装置５０により、従来構成同様に、貯留皿部８の遊技球ｘを確実に取込み可能となっている。特に、本実施例にあっては、取込球検知スイッチ７７が、スプロケット７１の直後位置に設けられているため、上述の遊技球ｘの取込作動において、スプロケット７１の凹部７０から放出された遊技球ｘが即時に主制御基板１００に計数されることとなり、迅速な遊技球ｘの取込みが実現されている。
【００４１】
次に貯留皿部８内の遊技球ｘの球抜作動について説明する。
本実施例のスロットマシン１は、上述のように、常態では、球抜通路５２の通路口８０は開閉部材８１により閉塞されると共に、整流通路５４の取込口６６はスプロケット７１の係止部７３により閉塞されており、貯留皿部８に貯留される取込み前の遊技球ｘは整流通路５４の先頭位置で係止される。ここで、図９に示すように、スプロケット７１の係止部７３の、遊技球ｘを係止する係止面には、係止する遊技球ｘを通路口８０側に案内する傾斜面が形成されており、整流通路５４の先頭で係止される遊技球ｘは通路口８０側に偏り、後続の遊技球ｘにより開閉部材８１に押圧された状態で保持される。従って、遊技者が、球抜ボタン６５を操作して、球抜通路５２の通路口８０を開放すると、開閉部材８１側に押圧される先頭の遊技球ｘが球抜通路５２へと流入し、この遊技球ｘを先頭に貯留皿部８の全ての遊技球ｘが、球抜通路５２へ流入し、球放出口１８から補助皿部１９に排出されることとなる。
【００４２】
このように、本実施例のスロットマシン１では、球抜通路５２の通路口８０は、球取込装置５０の係止部７３に係止される遊技球を臨む位置に形成されているため、通路口８０の開放により、取込前の遊技球を余すところなく返却することができる。また、本実施例にあっては、スプロケット７１の係止部７３に係止される遊技球は通路口８０側に偏るため、通路口８０の開放時に、遊技球を整流通路５４先頭で詰まらせることなく、通路口８０へ円滑に流入させることができる。
【００４３】
以上の実施例にあって、球取込装置５０を、スプロケット７１と取込モータ７２とで構成しているが、球取込装置５０の構成は本実施例の構成に限定したものではなく、取込モータ７２に替えてソレノイドを使用するなど、既知の球取込装置の構成を好適に用いることが可能である。また、上記実施例にあっては、従来のパチンコ機同様に、貯留皿部８の下方に、補助皿部１９を設けているが、本発明のスロットマシンには、かかる補助皿部１９を備える必要はなく、球箱等に遊技球ｘを排出するようなものであっても構わない。また、本発明にかかる開閉パネル７は、開閉パネル７の上方位置に、開閉可能に設けられる前扉６と一体化することも可能である。また、球取込装置５０を配設する球取込路４８は、本実施例のように短いものに限らず、取込球排出路４９のように、樋部材を用いて形成した長尺なものであっても構わない。
【００４４】
ここで、上述の実施例にあって、貯留領域３６を、隔壁５６により上流領域５３と下流領域（整流通路）５４とに前後で区画し、かつ上流領域５３の左側寄りに球供給口３５を配設すると共に、隔壁５６の右端部で、両領域を連通する連通開口５７を設け、さらに整流通路５４の左端部に、球取込路４８と連通する取込口６６を形成し、取込装置のスプロケット（取込部材）７１を、開閉パネル７の裏面３４よりも前方位置で、球取込路４８に配設するようにしているものである。このため、かかる構成にあっては、従来では開閉パネル７の背面側に配設されていたスプロケット（取込部材）７１を、開閉パネル７の前面側に配設されていることとなり、開閉パネル７の背面側の構造が簡素なものとなり、上記スロットマシンの設計の自由度を向上させることが可能となる。
【００４５】
さらに、スプロケット（取込部材）７１を開閉パネル７の裏面３４よりも前方に配置するものであるから、その取込口６６も、貯留皿部８の前部に配置することが可能となる。そこで、貯留皿部８の底部に、隔壁５６を左右に形成し、貯留領域３６を上流領域５３と下流領域（整流通路）５４とに前後で区画している。これにより、球供給口３５から、取込口６６に至る遊技球ｘの経路が折り返し状となり、経路長が長くなる。このため、その傾斜勾配が小さくなり、遊技球ｘの流下速度が低くなって、遊技球ｘの貯留皿部からの飛び出しが少なくなり、円滑な遊技球ｘの供給が可能となる。
【００４６】
ここで折り返し区分手段として、隔壁５６を形成しているから、略Ｕ字状の流下経路が実現されることとなり、隔壁５６により上流領域５３と下流領域（整流通路）５４の遊技球ｘ相互の干渉がなく、上流領域５３にある遊技球群から、下流領域５４にある遊技球群へ加わる球圧が抑制され、遊技球ｘの流れをさらに円滑とすることができる。また、折り返し区分手段としては、貯留皿部８自体をＵ字状構造とする等、隔壁５６を形成する以外に種々の手段が提供されうる。また、下流領域は、遊技球群を多数収容可能とし、該下流領域内に整流溝路を形成するなどにより、整流通路を形成するようにしても良い。従って、この場合は整流通路は下流領域の一部に過ぎない。
【００４７】
上流領域５３と下流領域５４とを、下流方向へ傾斜させると共に、図８で示すように、上流領域５３の傾斜角度よりも下流領域５４の傾斜角度を大きくするようにした場合には、上流領域５３では遊技球ｘは緩徐に流下し、折り返し部となる連通開口５７から、取込口６６に至る下流領域５４で遊技球ｘの流下が速くなる。これにより、上流領域５３にて、球供給口３５から流下した遊技球ｘが確認しやすくなる。
【図面の簡単な説明】
【００４８】
【図１】スロットマシン１の正面図である。
【図２】スロットマシン１の平面図である。
【図３】遊技を制御する制御回路を示すブロック回路図である。
【図４】開閉パネル７および貯留皿部８の平面図である。
【図５】開閉パネル７および貯留皿部８の正面図である。
【図６】開閉パネル７の背面図である。
【図７】図４のＡ−Ａ断面図である。
【図８】図４のＢ−Ｂ断面図である。
【図９】図４のＣ−Ｃ間の拡大断面図である。
【図１０】図８のＤ部分の拡大図である。
【図１１】取込口６６および球取込路４８、取込球排出路４９、スプロケット７１等の配置関係を示す概略斜視図である。
【図１２】取込口６６および球取込路４８、取込球排出路４９、スプロケット７１等の配置関係を示す平面図である。
【図１３】球取込装置５０の作動を示す説明図（イ）〜（ホ）である。
【図１４】球取込作動の一例を示すタイミングチャートである。
【符号の説明】
【００４９】
１  スロットマシン
２  外枠
３  遊技機本体
４  前枠
６  前扉
７  開閉パネル
８  貯留皿部
１２ａ〜１２ｃ  回転ドラム
１９  補助皿部
３４  裏面
３５  球供給口
３６  貯留領域
４８  球取込路
４９  取込球排出路
５０  球取込装置
５２  球抜通路
５３  上流領域
５４  整流通路（下流領域）
５６  隔壁
５７  連通開口
６５  球抜ボタン
６６  取込口
７１  スプロケット
７２  取込モータ
７７  取込球検知スイッチ
８０  通路口
８１  開閉部材
９５ａ〜９５ｃ  貯留球検知スイッチ
【図１】
2005329072.tif 000003
【図２】
2005329072.tif 000004
【図３】
2005329072.tif 000005
【図４】
2005329072.tif 000006
【図５】
2005329072.tif 000007
【図６】
2005329072.tif 000008
【図７】
2005329072.tif 000009
【図８】
2005329072.tif 000010
【図９】
2005329072.tif 000011
【図１０】
2005329072.tif 000012
【図１１】
2005329072.tif 000013
【図１２】
2005329072.tif 000014
【図１３】
2005329072.tif 000015
【図１４】
2005329072.tif 000016